(57)【特許請求の範囲】
【請求項１】
洗濯物のホールに取り付けられる、長方形状の紙のクリーニングタッグであって、
長手方向の一方の端部近傍の両側部から一方の端部に向かってＬ字状にそれぞれ切り込まれて、一方の端部の両側部に一対の引っ掛け部を形成する一対の切り込みと、
長手方向の他方の端部近傍で、短手方向の中央近傍に切り込まれたスリットとを備え、
前記スリットは、前記スリットの両端部から前記一方の端部に向かって所定の長さだけそれぞれ切り込みが入れられて、平面視で、当該スリット全体をコ状に形成されており、
前記一方の端部を洗濯物のホールに挿通した後に、当該一方の端部の両側部を内側にそれぞれ折り曲げて、前記スリットのコ状に対応して、当該一方の端部の幅方向の断面形状を少なくともコ状とし、当該折り曲げた状態の一方の端部をスリットに差し込み、当該差し込んだ後の一方の端部の両側部を外側にそれぞれ戻して、前記一対の引っ掛け部をスリットに引っ掛けることを特徴とするクリーニングタッグ。
【請求項２】
洗濯物のホールに取り付けられる、長方形状の紙のクリーニングタッグであって、
長手方向の一方の端部近傍の両側部から一方の端部に向かって斜め直線状にそれぞれ切り込まれて、一方の端部の両側部に一対の引っ掛け部を形成する一対の切り込みと、
長手方向の他方の端部近傍で、短手方向の中央近傍に切り込まれたスリットとを備え、
前記スリットは、前記スリットの両端部から前記一方の端部に向かって所定の長さだけそれぞれ切り込みが入れられて、平面視で、当該スリット全体をコ状に形成されており、
前記一方の端部を洗濯物のホールに挿通した後に、当該一方の端部の両側部を内側にそれぞれ折り曲げて、前記スリットのコ状に対応して、当該一方の端部の幅方向の断面形状を少なくともコ状とし、当該折り曲げた状態の一方の端部をスリットに差し込み、当該差し込んだ後の一方の端部の両側部を外側にそれぞれ戻して、前記一対の引っ掛け部をスリットに引っ掛けることを特徴とするクリーニングタッグ。
【発明の詳細な説明】
【技術分野】
【０００１】
本発明は、クリーニングタッグに関し、詳しくは、ホッチキス針を使用することなく、クリーニング中の洗濯物に確実に取り付けておくことが可能となり、更に、コストパフォーマンスに優れるクリーニングタッグに関する。
【背景技術】
【０００２】
一般に、クリーニング業界では、多勢の顧客から預かった多数の衣類を取扱うため、受付時点からクリーニング後の品渡に至るまで一貫して各衣類に対して依頼者（預かり主）を識別できるようにしておく必要がある。従来では、氏名等を記入できるようにした耐洗性の紙を衣類のボタン孔等に通して、両端部をホッチキス針で止着したクリーニングタッグが広く利用されており、依頼者の混同を避けるようにしている。
【０００３】
しかしながら、従来技術であるホッチキス針で止着するクリーニングタッグでは、クリーニング中にホッチキス針が他の衣類を傷けることがあり、依頼者へ損害賠償責任となる問題がある。又、クリーニング後の衣服からクリーニングタッグを取り外す際に、ホッチキス針の取り外しに手間が掛かるという問題がある。特に、クリーニングを依頼する依頼者の大多数は女性であり、ホッチキス針の取り外しにより手を怪我したり、ネイルが入った爪を損傷したりするという問題がある。更に、女性は、ホッチキス針の金属自体の接触を嫌がる場合がある。又、１つのクリーニングタッグに対して１つのホッチキス針が必要であり、トータルコストを上昇させるという問題がある。
【０００４】
そこで、例えば、実用新案登録第３００５１１２号公報（特許文献１）には、衣類のボタン孔、襟吊り、ベルト通し等に挿入する取付部と、顧客の識別番号または氏名等を記入する表示部とから構成されたクリーニングタッグが開示されている。当該クリーニングタッグは、前記の取付部に、表示部を挿入する切線を設け、又、一方、前記の表示部に、切線に係止する切込舌片を設けたことを特徴とする。これにより、衣類えの取り付けを容易且つ確実に行うことができると共に、クリーニング中に他の衣類を傷けることがなく、又、クリーニング中に衣類から離脱することがないとしている。
【０００５】
又、特開２００１−２９６９９号公報（特許文献２）には、クリーニングタッグのほぼ中央部の両側に、それぞれ凹みが形成され、クリーニングタッグの一端に先細りの山形の係止部が形成されたクリーニングタッグが開示されている。当該クリーニングタッグは、係止部とタッグシート本体との間に切欠が形成され、クリーニングタッグの他端近くに、係止部を挿通するスリットがクリーニングタッグの幅方向に形成され、前記切欠の間隔がスリットの長さとほぼ同じ寸法であることを特徴とする。これにより、従来のようにホチキス針を使用する必要が無いため、洗濯物を傷つけることがなく、又、洗濯物への取り付けが容易にでき、クリーニング中に外れることはなく、取り外しも容易であるとしている。
【０００６】
又、実開平６−２３８０号公報（特許文献３）には、情報表示用の表示部を備えた取付け帯を取付け部に挿通したのち一方を折返し、折曲部を挟んだ両片同士を連結して、取付け品に対して固定するタグの固定構造が開示されている。当該タグの固定構造は、前記取付け帯の一端部に幅狭の首部を形成して差込み片を設け、当該差込み片から前記折返しを行なう所定間隔を隔てた位置に、前記差込み片の挿通可能な差込み用切目を形成する。又、当該差込み用切目とは切込み方向を異にして連続し、前記差込み片の首部を係止する係止部を形成している。これにより、タグの固定は取付け帯上での相互の係止によっており、従来のように剥離紙をはぎ取った後に整合するような手間はかからず、差込み片を差込み用切目に対して差し込んだ後でねじるだけでよく、迅速、かつ非常に簡単に行なえるとしている。しかも、このように取付け作業自体が容易であるばかりでなく、剥離紙というゴミが出ることがないため、ゴミを処理するための作業が必要なく、また資源の無駄もなくなり有益であるとしている。又、粘着剤を使用していないため、衣類等に粘着剤が着いてしまったり、粘着剤がクリーニング時に溶出してしまったり、タグが脱落してしまったりすることを未然に防ぐことができる。更に、タグの取り外しに当たっては、強い耐洗紙といえども他の道具を必要とせず手で千切ることができるため、必要なときに即座に行なえるとともに、衣類等の損傷を防止することもできるとしている。
【先行技術文献】
【特許文献】
【０００７】
【特許文献１】実用新案登録第３００５１１２号公報
【特許文献２】特開２００１−２９６９９号公報
【特許文献３】実開平６−２３８０号公報
【発明の概要】
【発明が解決しようとする課題】
【０００８】
しかしながら、上述した特許文献１−３に記載のクリーニングタッグでは、洗濯物への取り付けが容易となる構成であるため、クリーニング中の洗濯物の回転や叩き付け等により、当該洗濯物から外れてしまうという問題がある。
【０００９】
ここで、前記クリーニングタッグが洗濯物から外れてしまうと、当該洗濯物の依頼者を識別することが出来なくなる。又、前記クリーニングタッグには、依頼者の氏名等の他に、洗濯物への後処理、例えば、シミ抜き等の記載があり、それが無くなると、当該洗濯物に対応する後処理が出来なくなる。そのため、前記クリーニングタッグの洗濯物からの外れは、大きな問題となる。上述した特許文献１−３に記載のクリーニングタッグでは、ホッチキス針を使用していないものの、洗濯物からの外れの問題を確実に解決出来ていないという問題がある。
【００１０】
又、上述した特許文献１−３に記載のクリーニングタッグは、主に、耐洗性の紙に片刃で切り込みを入れて製造するが、この切り込みを入れる回数が増加すると、前記片刃の磨耗が著しくなり、製造コストが上昇するという問題がある。従って、比較的簡単な構成であって、製造コストが低いクリーニングタッグが、クリーニング業界で切望されている。
【００１１】
そこで、本発明は、前記問題を解決するためになされたものであり、ホッチキス針を使用することなく、クリーニング中の洗濯物に確実に取り付けておくことが可能となり、更に、コストパフォーマンスに優れるクリーニングタッグを提供することを目的とする。
【課題を解決するための手段】
【００１２】
本発明者は、鋭意研究を重ねた結果、本発明に係る新規なクリーニングタッグを完成させた。即ち、本発明に係るクリーニングタッグは、洗濯物のホールに取り付けられる、長方形状の紙のクリーニングタッグであって、以下の構成を採用する。
【００１３】
前記クリーニングタッグは、長手方向の一方の端部近傍の両側部から一方の端部に向かってＬ字状にそれぞれ切り込まれて、一方の端部の両側部に一対の引っ掛け部を形成する一対の切り込みと、長手方向の他方の端部近傍で、短手方向の中央近傍に切り込まれたスリットとを備える。又、前記スリットは、前記スリットの両端部から前記一方の端部に向かって所定の長さだけそれぞれ切り込みが入れられて、平面視で、当該スリット全体をコ状に形成されている。又、前記クリーニングタッグは、前記一方の端部を洗濯物のホールに挿通した後に、当該一方の端部の両側部を内側にそれぞれ折り曲げて、前記スリットのコ状に対応して、当該一方の端部の幅方向の断面形状を少なくともコ状とし、当該折り曲げた状態の一方の端部をスリットに差し込み、当該差し込んだ後の一方の端部の両側部を外側にそれぞれ戻して、前記一対の引っ掛け部をスリットに引っ掛けることを特徴とする。
【００１４】
前記クリーニングタッグは、長手方向の一方の端部近傍の両側部から一方の端部に向かって斜め直線状にそれぞれ切り込まれて、一方の端部の両側部に一対の引っ掛け部を形成する一対の切り込みと、長手方向の他方の端部近傍で、短手方向の中央近傍に切り込まれたスリットとを備え、前記スリットは、前記スリットの両端部から前記一方の端部に向かって所定の長さだけそれぞれ切り込みが入れられて、平面視で、当該スリット全体をコ状に形成されており、前記一方の端部を洗濯物のホールに挿通した後に、当該一方の端部の両側部を内側にそれぞれ折り曲げて、前記スリットのコ状に対応して、当該一方の端部の幅方向の断面形状を少なくともコ状とし、当該折り曲げた状態の一方の端部をスリットに差し込み、当該差し込んだ後の一方の端部の両側部を外側にそれぞれ戻して、前記一対の引っ掛け部をスリットに引っ掛けることを特徴とする。
【発明の効果】
【００１５】
本発明に係るクリーニングタッグによれば、ホッチキス針を使用することなく、クリーニング中の洗濯物に確実に取り付けておくことが可能となり、更に、コストパフォーマンスに優れるクリーニングタッグを提供することが可能となる。
【図面の簡単な説明】
【００１６】
【図１】本発明に係るクリーニングタッグの平面図、底面図、正面図である。
【図２】本発明に係るクリーニングタッグの取り付け方法を示す第一の斜視図である。
【図３】本発明に係るクリーニングタッグの取り付け方法を示す第二の斜視図である。
【図４】本発明に係るクリーニングタッグの取り付け方法を示す第三の斜視図である。
【図５】本発明に係るクリーニングタッグの取り付け方法を示す第四の斜視図である。
【図６】本発明に係るクリーニングタッグの他の実施形態を示す平面図である。
【図７】本発明に係るクリーニングタッグの平面図、底面図、正面図である。
【図８】本発明に係るクリーニングタッグの取り付け方法を示す第一の斜視図である。
【図９】本発明に係るクリーニングタッグの取り付け方法を示す第二の斜視図である。
【図１０】本発明に係るクリーニングタッグの取り付け方法を示す第三の斜視図である。
【図１１】本発明に係るクリーニングタッグの取り付け方法を示す第四の斜視図である。
【図１２】本発明に係るクリーニングタッグの取り付け方法を示す第五の斜視図である。
【図１３】本発明に係るクリーニングタッグの実施例２の結果を示す写真である。
【図１４】本発明に係るクリーニングタッグと補助タッグの一例を示す第一の写真である。
【図１５】本発明に係るクリーニングタッグと補助タッグの一例を示す第二の写真である。
【発明を実施するための形態】
【００１７】
以下に、添付図面を参照して、本発明に係るクリーニングタッグの実施形態について説明し、本発明の理解に供する。尚、以下の実施形態は、本発明を具体化した一例であって、本発明の技術的範囲を限定する性格のものではない。
【００１８】
＜クリーニングタッグ＞
本発明に係るクリーニングタッグは、洗濯物のホールに取り付けられる、長方形状の紙のクリーニングタッグであって、以下の構成を採用する。
【００１９】
即ち、本発明に係るクリーニングタッグ１は、図１に示すように、長手方向の一方の端部１０ａ近傍の両側部１０ｂ、１０ｃ（右側部１０ｂ、左側部１０ｃ）から一方の端部１０ａに向かってそれぞれ切り込まれて、一方の端部１０ａの両側部１０ｂ、１０ｃに一対の引っ掛け部１３ａ、１３ｂ（右側の引っ掛け部１３ａ、左側の引っ掛け部１３ｂ）を形成する一対の切り込み１１ａ、１１ｂ（右側の切り込み１１ａ、左側の切り込み１１ｂ）を備える。更に、本発明に係るクリーニングタッグ１は、長手方向の他方の端部１０ｄ近傍で、短手方向の中央部１０ｅ近傍に切り込まれたスリット１２を備える。
【００２０】
そして、本発明に係るクリーニングタッグ１は、図２に示すように、前記一方の端部１０ａを洗濯物２のホール２０に挿通した後に、当該一方の端部１０ａの両側部１０ｂ、１０ｃを内側（中央側）にそれぞれ折り曲げる。次に、本発明に係るクリーニングタッグ１は、図３に示すように、当該折り曲げた状態の一方の端部１０ａをスリット１２に差し込み、図４に示すように、当該差し込んだ後の一方の端部１０ａの両側部１０ｂ、１０ｃを外側にそれぞれ戻して、図５に示すように、前記一対の引っ掛け部１３ａ、１３ｂをスリット１２に引っ掛けることを特徴とする。
【００２１】
これにより、ホッチキス針を使用することなく、クリーニング中の洗濯物に確実に取り付けておくことが可能となり、更に、コストパフォーマンスに優れるクリーニングタッグを提供することが可能となる。
【００２２】
即ち、本発明に係るクリーニングタッグ１では、一度、前記洗濯物２のホール２０に取り付けると、再度、前記一対の引っ掛け部１３ａ、１３ｂの引っ掛けをスリット１２から解除してから、前記一方の端部１０ａの両側部１０ｂ、１０ｃをそれぞれ折り曲げて、当該折り曲げた状態の一方の端部１０ａをスリット１２から引き抜かない限り、本発明に係るクリーニングタッグ１は前記洗濯物２のホール２０から外すことは出来なくなる。そのため、本発明に係るクリーニングタッグ１が一度取り付けられた洗濯物２をクリーニングして回転させたり叩き付けたりしたとしても、当該クリーニングタッグ１は前記洗濯物２から外れることは無く、当該クリーニングタッグ１を前記洗濯物２に確実に取り付けておくことが可能となる。その結果、本発明に係るクリーニングタッグ１では、従来より発生していた問題、即ち、クリーニングタッグ１が外れることによる洗濯物２の依頼者が不明になる問題や前記クリーニング後の後処理が不明なる問題等を確実に解決することが可能となる。
【００２３】
又、本発明に係るクリーニングタッグ１は、紙で構成されているため、簡単に引き千切ることが可能である。そのため、例えば、依頼者が、後処理を含む全てのクリーニングが完了した洗濯物２を受け取った際に、当該洗濯物２に取り付けられた前記クリーニングタッグ１を強制的に引っ張って引き千切れば、当該クリーニングタッグ１を簡単に取り外すことが可能となる。その際に、ホッチキス針を用いていないため、依頼者が女性であったとしても、問題なくクリーニングタッグ１を取り外すことが可能となる。
【００２４】
更に、本発明に係るクリーニングタッグ１の一対の切り込み１１ａ、１１ｂとスリット１２とを入れることで作成出来るため、従来よりクリーニングタッグの製造に用いていた片刃をそのまま利用することが可能である。そのため、本発明に係るクリーニングタッグ１の製造に要する設備等をそのまま転用することが可能となり、製造コストを抑えて、大量生産することが可能となる。
【００２５】
以下、本発明に係るクリーニングタッグ１の構成について具体的に説明する。
【００２６】
＜一対の切り込み＞
一対の切り込み１１ａ、１１ｂの形状は、本発明の目的を阻害しない限り、特に限定は無い。例えば、前記一対の切り込み１１ａ、１１ｂは、図１に示すように、平面視（表面）で、一方の端部１０ａ近傍の両側部１０ｂ、１０ｃから一方の端部１０ａに向かって略Ｌ字状に形成されている。
【００２７】
具体的には、一方の端部１０ａ近傍の両側部１０ｂ、１０ｃの所定の位置を始点１４ａ、１４ｂ（右側の始点１４ａ、左側の始点１４ｂ）とする。又、前記始点１４ａ、１４ｂから短手方向に沿って前記短手方向の中央部１０ｅ近傍の所定位置を中央近傍点１５ａ、１５ｂ（右側の中央近傍点１５ａ、左側の中央近傍点１５ｂ）とする。更に、前記始点１４ａ、１４ｂより一方の端部１０ａ側で、短手方向の中央部１０ｅ近傍の所定位置を終点１６ａ、１６ｂ（右側の終点１６ａ、左側の終点１６ｂ）とする。そして、前記一対の切り込み１１ａ、１１ｂは、前記始点１４ａ、１４ｂから前記中央近傍点１５ａ、１５ｂまで切り込むとともに、当該中央近傍点１５ａ、１５ｂから前記終点１６ａ、１６ｂまで切り込むことで形成される。
【００２８】
これにより、前記一対の切り込み１１ａ、１１ｂで形成される一対の引っ掛け部１３ａ、１３ｂは略四角形状となり、当該一対の引っ掛け部１３ａ、１３ｂをスリット１２に引っ掛けると、一方の端部１０ａの両側部１０ｂ、１０ｃが強固に固定される。そのため、クリーニング中であっても、本発明に係るクリーニングタッグ１を前記洗濯物２に確実に取り付けておくことが可能となる。
【００２９】
尚、前記一対の切り込み１１ａ、１１ｂの形状は、他の形状でも良く、例えば、図６に示すように、斜め直線状でも、円弧状（扇状）でも、反円弧状でも構わない。前記一対の切り込み１１ａ、１１ｂにより、スリット１２に引っ掛け可能な一対の引っ掛け部１３ａ、１３ｂが形成されれば良い。
【００３０】
又、一対の切り込み１１ａ、１１ｂにおける始点１４ａ、１４ｂから中央近傍点１５ａ、１５ｂまでの長さｔ１（距離）は、本発明の目的を阻害しない限り、特に限定は無い。例えば、前記長さｔ１は、本発明に係るクリーニングタッグ１の幅ｔ２（短手方向の長さ）に対して５分の１から３分の１までの範囲内とされる。
【００３１】
これにより、一方の端部１０ａの両側部１０ｂ、１０ｃを内側に折り曲げた状態の一方の端部１０ａの幅ｔ３が、前記クリーニングタッグ１全体の幅ｔ２よりも幅狭となるため、作業者が、前記スリット１２に挿通し易くすることが可能となる。
【００３２】
尚、図１では、前記長さｔ１は、前記クリーニングタッグ１の幅ｔ２に対して３分の１である。
【００３３】
又、一対の切り込み１１ａ、１１ｂにおける中央近傍点１５ａ、１５ｂから終点１６ａ、１６ｂまでの長さｔ４は、本発明の目的を阻害しない限り、特に限定は無い。例えば、前記長さｔ４は、前記長さｔ１に対して２分の１から２倍の範囲内とされる。
【００３４】
これにより、一対の切り込み１１ａ、１１ｂで形成される一対の引っ掛け部１３ａ、１３ｂをスリット１２に確実に引っ掛ける（食い込ませる）ことが可能となり、本発明に係るクリーニングタッグ１を前記洗濯物２に強固に取り付けておくことが可能となる。
【００３５】
尚、図１では、前記長さｔ４は、前記長さｔ１と同等（１倍）であり、前記一対の引っ掛け部１３ａ、１３ｂは、略正方形である。
【００３６】
又、一方の切り込み１１ａ（右側の切り込み１１ａ）と他方の切り込み１１ｂ（左側の切り込み１１ｂ）との関係は、本発明の目的を阻害しない限り、特に限定は無い。例えば、前記関係は、図１に示すように、本クリーニングタッグ１の短手方向の中央部１０ｅに対して対称の関係であるが、図６に示すように、非対称の関係でも構わない。
【００３７】
＜スリット＞
スリット１２は、前記両側部１０ｂ、１０ｃを折り曲げた状態の一方の端部１０ａが挿通可能な長さ、形状であれば、本発明の目的を阻害しない限り、特に限定は無い。例えば、前記スリット１２の長さｔ５は、図１に示すように、一方の端部１０ａの両側部１０ｂ、１０ｃを内側に折り曲げた状態の一方の端部１０ａの幅ｔ３とほぼ同等又は幅ｔ３よりも少し長い長さとされる。
【００３８】
これにより、前記折り曲げた状態の一方の端部１０ａが前記スリット１２に挿通する場合に、多少の押す力で押し通すことが可能となり、本発明に係るクリーニングタッグ１を簡単に取り付けることが可能となる。尚、前記折り曲げた状態の一方の端部１０ａの両側部１０ｂ、１０ｃを元の状態に戻せば、当該クリーニングタッグ１を千切らない限り、前記洗濯物２から外すことが殆ど不可能になる。
【００３９】
又、スリット１２の幅ｔ６（クリーニングタッグ１の長手方向の長さ）は、本発明の目的を阻害しない限り、特に限定は無い。例えば、前記幅ｔ６は、本発明に係るクリーニングタッグ１の厚みｔ７の１倍から３倍の範囲内とされる。
【００４０】
これにより、両側部１０ｂ、１０ｃを折り曲げた状態の一方の端部１０ａの厚みは、前記クリーニングタッグ１の厚みｔ７の約３倍になることから、前記スリット１２の幅ｔ６を上述の範囲内にしておくことで、作業者は、かろうじて前記折り曲げた状態の一方の端部１０ａをスリット１２に押し通すことが可能となる。そのため、一度、押し通すと、前記折り曲げた状態の一方の端部１０ａはスリット１２から抜け難くなり、更に、洗濯物２からの外れを防止することが可能となる。
【００４１】
又、スリット１２の位置は、長手方向の他方の端部１０ｄ近傍で、短手方向の中央部１０ｅ近傍であれば、本発明の目的を阻害しない限り、特に限定は無い。例えば、図１に示すように、前記スリット１２の位置は、他方の端部１０ｄから長手方向の中央部１０ｆ側よりで、且つ、短手方向の中央部１０ｅ近傍とされる。
【００４２】
これにより、例えば、図１に示す用に、平面視で、前記クリーニングタッグ１の長手方向で、前記スリット１２の隣接する位置に、印刷欄１７ａ、１７ｂ（右側の印刷欄１７ａ、左側の印刷欄１７ｂ）を設けることが可能となる。ここで、図５に示すように、前記クリーニングタッグ１を洗濯物２のホール２０に取り付けた際に、平面視で両方の印刷欄１７ａ、１７ｂを確認することが可能となる。ここで、前記印刷欄１７ａ、１７ｂには、例えば、氏名、タッグ番号、担当者、場所、後処理、金額等の必要事項が印刷される。又、前記印刷欄１７ａ、１７ｂの中に空欄を設けて、適宜、作業者が必要事項（例えば、「大阪」等）を入力可能にしても良い。
【００４３】
＜クリーニングタッグ＞
本発明に係るクリーニングタッグ１は、耐水性、耐溶剤性、耐薬品性等を備えた紙（耐洗紙）で構成される。又、本発明に係るクリーニングタッグ１が適用される洗濯物２は、ワイシャツ、ポロシャツ、ズボン等の衣類の他に、布団やシーツ等であり、当該洗濯物２のホール２０は、例えば、ボタンホール、襟吊り、ベルト通し、安全ピンの穴等である。
【００４４】
＜取り付け方法＞
次に、本発明に係るクリーニングタッグ１の取り付け方法について具体的に説明する。先ず、図２に示すように、作業者が、本発明に係るクリーニングタッグ１の一方の端部１０ａを洗濯物２のホール２０（例えば、ボタンホール）に挿通し、折り返して、長手方向の他方の端部１０ｄ側に引き寄せる。そして、作業者は、一方の端部１０ａの両側部１０ｂ、１０ｃを内側にそれぞれ折り曲げる。
【００４５】
ここで、作業者が両端部１０ｂ、１０ｃを折り曲げる場合、例えば、前記切り込み１１ａ、１１ｂの終点１６ａ、１６ｂから一方の端部１０ａまで本クリーニングタッグ１の長手方向に沿って形成される折り曲げ線１８ａ、１８ｂ（右側の折り曲げ線１８ａ、左側の折り曲げ線１８ｂ）で折り曲げる。この折り曲げ線１８ａ、１８ｂは、本クリーニングタッグ１に予め設けていても、作業者が形成しても構わない。
【００４６】
前記折り曲げは、例えば、図２に示すように、作業者は、先ず、一方の端部１０ａの右側部１０ｂを内側に右側の折り曲げ線１８ａに沿って折り曲げ、次に、一方の端部１０ａの左側部１０ｃを内側に（右側部１０ｂの上に）左側の折り曲げ線１８ｂに沿って折り曲げる。これにより、前記折り曲げた状態の一方の端部１０ａの幅ｔ３は、前記クリーニングタッグ１の幅ｔ２よりも幅狭で細長い形状となる。
【００４７】
更に、図３に示すように、作業者が、前記折り曲げた状態の一方の端部１０ａをスリット１２に挿通する。ここで、前記スリット１２の長さｔ５は、前記折り曲げた状態の一方の端部１０ａの幅ｔ５とほぼ同等又は幅ｔ３よりも少し長い長さであるため、作業者は、前記折り曲げた状態の一方の端部１０ａをスリット１２に対応させて強制的に押せば、当該スリット１２に挿通させることが可能となる。
【００４８】
そして、図４に示すように、作業者が、前記挿通した後の一方の端部１０ａの両端部１０ｂ、１０ｃを外側にそれぞれ戻して、元の状態にすると、前記両端部１０ｂ、１０ｃにおける一対の引っ掛け部１３ａ、１３ｂがスリット１２に若干係止される。
【００４９】
ここで、作業者が、例えば、一方の端部１０ａの両側部１０ｂ、１０ｃにおける一対の引っ掛け部１３ａ、１３ｂがスリット１２から抜けるまで一方の端部１０ａを挿通させておくと、一方の端部１０ａの両側部１０ｂ、１０ｃが元の状態に戻し易くなる。
【００５０】
更に、図５に示すように、作業者が、前記元の状態の一方の端部１０ａを挿通方向と逆方向（反対方向）に戻して（引っ張って）、前記一対の引っ掛け部１３ａ、１３ｂをスリット１２に引っ掛ける。
【００５１】
これにより、本クリーニングタッグ１の洗濯物２への取り付けが完了する。この状態で、例えば、作業者が、本クリーニングタッグ１の長手方向の中央部１０ｆ近傍を折り曲げると、前記一対の引っ掛け部１３ａ、１３ｂをスリット１２に強固に引っ掛けた状態とすることが可能となる。
【００５２】
この状態で、例えば、作業者が、本クリーニングタッグ１の印刷欄１７ａ、１７ｂを確認し、必要に応じて、図５に示すように、前記洗濯物２の種類や状態に対応する「シミ加工」等の後処理名、クリーニングの実施場所に対応する「大阪」等の地域名等を、前記印刷欄１７ａ、１７ｂの空欄に記入する。又、前記元の状態に戻した一方の端部１０ａの裏面１７ｃに必要事項を記入しても
【００５３】
そして、作業者が、本クリーニングタッグ１を取り付けた複数の洗濯物２を所定のクリーニング装置に投入し、所定の条件でクリーニングを実施すれば、前記洗濯物２を回転させたり叩き付けたりしたとしても、当該洗濯物２のクリーニングタッグ１を確実に付けておくことが可能となる。又、本発明に係るクリーニングタッグ１は、ホッチキス針を一切使用していないため、前記洗濯物２が相互にぶつかり合ったとしても、当該洗濯物２が傷つくことが無い。そのため、前記洗濯物２の傷に基づく損害賠償等を確実に防止することが可能となる。
【００５４】
更に、前記クリーニングが完了すれば、作業者は、前記クリーニング装置から洗濯物２を取り出して、所定のハンガーに掛けて乾燥させたり、前記クリーニングタッグ１に記入された後処理（シミ抜き等）を実施したりして、最終的なクリーニング作業を完了させる。作業者が、最終的なクリーニング作業を完了された洗濯物２を、前記クリーニングタッグ１に基づいて依頼者に引き渡すと、当該依頼者は、前記洗濯物２のクリーニングタッグ１を引き千切ることで、元の状態の洗濯物を手に入れることが可能となる。この際、本クリーニングタッグ１には、ホッチキス針を使用していないため、当該ホッチキス針による怪我等を未然に防止することが可能となる。
【００５５】
＜他の実施形態＞
本発明に係るクリーニングタッグ１は、更に、改良することが可能である。例えば、図７に示すように、前記一対の切り込み１１ａ、１１ｂの先端部１６ａ、１６ｂ（終点１６ａ、１６ｂ）から一方の端部１０ａまで本クリーニングタッグ１の長手方向に沿ってミシン目状切り込み１８ａ、１８ｂ（右側のミシン目状切り込み１８ａ、左側のミシン目状切り込み１８ｂ）をそれぞれ設ける。つまり、図１に示す折り曲げ線１８ａ、１８ｂに対応してミシン目状切り込み１９ａ、１９ｂを形成させるのである。
【００５６】
これにより、図８に示すように、作業者は、一方の端部１０ａの両側部１０ｂ、１０ｃを内側に容易に折り曲げることが可能となり、取り付け作業の効率を向上させる。もちろん、スリット１２を通した後に、前記折り曲げた状態の一方の端部１０ａの両側部１０ｂ、１０ｃを容易に元の状態に戻すことが可能となる。
【００５７】
尚、前記ミシン目状切り込み１８ａ、１８ｂのミシン目（切り込み）の長さ、ミシン目の間隔は、一方の端部１０ａの両側部１０ｂ、１０ｃが折り曲げ可能となれば、本発明の目的を阻害しない限り、特に限定は無い。
【００５８】
又、図７に示すように、前記スリット１２の先端部２０ａ、２０ｂ（右側の終点２０ａ、左側の終点２０ｂ）から一方の端部１０ａに向かって所定の長さｔ８だけそれぞれ切り込みを入れて、平面視で、当該スリット１２全体を略コ状に形成する。
【００５９】
これにより、図９に示すように、作業者は、前記折り曲げた状態の一方の端部１０ａを略コ状のスリット１２に容易に突き通すことが可能となる。又、図１０に示すように、作業者は、前記折り曲げた状態の一方の端部１０ａの両側部１０ｂ、１０ｃを容易に外側へ戻すことが可能となり、更に、取り付け作業の効率を向上させる。
【００６０】
ここで、前記折り曲げた状態の一方の端部１０ａの両側部１０ｂ、１０ｃを元の状態に戻した場合、図１１に示すように、作業者は、前記両側部１０ｂ、１０ｃにおける一対の引っ掛け部１３ａ、１３ｂをスリット１２の略コ状の中央部２１に引っ掛けても良い。又、図１２に示すように、一対の引っ掛け部１３ａ、１３ｂをスリット１２の略コ状の両側部２２ａ、２２ｂ（右側部２２ａ、左側部２２ｂ）に引っ掛けても良い。いずれにしても、一対の引っ掛け部１３ａ、１３ｂをスリット１２に引っ掛けることに代わりがない。
【００６１】
尚、前記スリット１２の略コ状の中央部２１の長さ、両側部２２ａ、２２ｂの長さは、前記両側部１０ｂ、１０ｃにおける一対の引っ掛け部１３ａ、１３ｂが引っ掛かり可能となれば、本発明の目的を阻害しない限り、特に限定は無い。又、前記スリット１２の略コ状の両側部２２ａ、２２ｂが一方の端部１０ａに向かって碗状に広がっていても構わない。
【００６２】
＜実施例＞
以下に、本発明に係るクリーニングタッグ１の実験方法、実施例、比較例を具体的に説明するが、本発明の適用が本実施例などに限定されるものではない。
【００６３】
実験方法は、次の通りである。先ず、洗濯物を通常のワイシャツとして、そのワイシャツに存在する５つのボタンホールの全てにクリーニングタッグを取り付けて、クリーニングタッグが付いた洗濯物を用意する。ここで、用意する洗濯物は、ワイシャツ７枚分とする。次に、ドラム状のクリーニング装置（３５ｋｇクリーニング可能）のドラム内にこの洗濯物を全て投入して、クリーニングを実施する。クリーニング終了後に、洗濯物を取り出し、クリーニングタッグの外れが生じているか否かを確認する。
【００６４】
実施例は、図１に示すクリーニングタッグを付けた洗濯物を実施例１とし、図７に示すクリーニングタッグを付けた洗濯物を実施例２とした。尚、比較例は、通常のクリーニングタッグをホッチキス針で止めた洗濯物を比較例１とした。
【００６５】
前記実験の結果、クリーニング終了後に、クリーニングタッグの外れを確認すると、実施例１においてクリーニングタッグの外れが全く生じていなかった。又、図１３に示すように、実施例２においても、クリーニング前後で比較して、クリーニングタッグの外れが全く生じていなかった。これは、クリーニングタッグ１の引っ掛け部１３ａ、１３ｂがスリット１２に強固に引っ掛かっているためと推察する。尚、比較例１においても、当然、クリーニングタッグの外れが生じていなかったものの、ホッチキス針等によるワイシャツのほつれ、損傷が見られていた。
【００６６】
尚、洗濯物をワイシャツから布団に付いた安全ピン、スーツの上着、ズボンにそれぞれ変更して、同様の実験を行ったが、実施例１、２においてクリーニングタッグの外れが全く生じておらず、同様の結果を得ていた。
【００６７】
従って、本発明に係るクリーニングタッグ１は、ホッチキス針を使用することなく、クリーニング中の洗濯物に確実に取り付けておくことが可能となることが理解される。
【００６８】
このように、本発明では、長手方向の一方の端部１０ａ近傍の両側部１０ｂ、１０ｃから一方の端部１０ａに向かってそれぞれ切り込まれて、一方の端部１０ａの両側部１０ｂ、１０ｃに一対の引っ掛け部１３ａ、１３ｂを形成する一対の切り込み１１ａ、１１ｂと、長手方向の他方の端部１０ｄ近傍で、短手方向の中央部１０ｅ近傍に切り込まれたスリット１２とを備える。そして、前記一方の端部１０ａを洗濯物２のホール２０に挿通した後に、当該一方の端部１０ａの両側部１０ｂ、１０ｃを内側にそれぞれ折り曲げて、当該折り曲げた状態の一方の端部１０ａをスリット１２に差し込み、当該差し込んだ後の一方の端部１０ａの両側部１０ｂ、１０ｃを外側にそれぞれ戻して、前記一対の引っ掛け部１３ａ、１３ｂをスリット１２に引っ掛けることを特徴とする。
【００６９】
これにより、ホッチキス針を使用することなく、クリーニング中の洗濯物に確実に取り付けておくことが可能となり、更に、コストパフォーマンスに優れるクリーニングタッグを提供することが可能となる。
【００７０】
尚、本発明に係るクリーニングタッグ１と別個の補助タッグを作成し、当該補助タッグをクリーニングタッグ１に取り付けるよう構成しても良い。例えば、図１４に示すように、補助タッグ３に、本発明に係るクリーニングタッグ１が挿通可能なスリットを予め設けて、本発明に係るクリーニングタッグ１を洗濯物のホールに通す際に、補助タッグ３のスリットにも挿通して取り付ければ、補助タッグ３に印刷された必要事項も確認することが可能となる。
【００７１】
又、補助タッグ３は、長方形、正方形、円形、台形、カバン形等、どのような形状でも良く、又、赤色、青色、白色、ピンク色等、本発明に係るクリーニングタッグの色と異なる色であれば、どのような色でも構わない。更に、本発明に係るクリーニングタッグと同一物にして、当該補助タッグ３を、洗濯物のホールに取り付けた本発明に係るクリーニングタッグ１のホールに取り付けるよう構成しても良い。又、図１５に示すように、本発明に係るクリーニングタッグ１に自身が挿通可能なスリットを予め設けておき、本発明に係るクリーニングタッグ１をホールに取り付けるとともに、当該クリーニングタッグ１のスリットに、本発明に係るクリーニングタッグと同一物の補助タッグ３を挿通して取り付けるよう構成しても良い。このような構成は、洗濯物の種類、大きさ等に応じて適宜、設計変更することが可能である。これにより、クリーニングにおいて衣類等に付加する情報を更に多様化することが可能となる。
【産業上の利用可能性】
【００７２】
以上のように、本発明に係るクリーニングタッグは、クリーニング業界で様々な洗濯物に利用されるクリーニングタッグとして有用であり、ホッチキス針を使用することなく、クリーニング中の洗濯物に確実に取り付けておくことが可能となり、更に、コストパフォーマンスに優れるクリーニングタッグとして有効である。
【符号の説明】
【００７３】
１  クリーニングタッグ
１１ａ、１１ｂ  一対の切り込み
１２  スリット
１３ａ、１３ｂ  一対の引っ掛け部
【要約】
【課題】ホッチキス針を使用することなく、クリーニング中の洗濯物に確実に取り付けておくことが可能となり、更に、コストパフォーマンスに優れるクリーニングタッグを提供する。
【解決手段】洗濯物２のホール２０に取り付けられる、長方形状の紙のクリーニングタッグ１であって、長手方向の一方の端部１０ａ近傍の両側部１０ｂ、１０ｃから一方の端部１０ａに向かってそれぞれ切り込まれて、一方の端部１０ａの両側部１０ｂ、１０ｃに一対の引っ掛け部１３ａ、１３ｂを形成する一対の切り込み１１ａ、１１ｂと、長手方向の他方の端部１０ｄ近傍で、短手方向の中央部１０ｅ近傍に切り込まれたスリット１２とを備える。
【選択図】図１【図１】
0005549042.tif 000002
【図２】
0005549042.tif 000003
【図３】
0005549042.tif 000004
【図４】
0005549042.tif 000005
【図５】
0005549042.tif 000006
【図６】
0005549042.tif 000007
【図７】
0005549042.tif 000008
【図８】
0005549042.tif 000009
【図９】
0005549042.tif 000010
【図１０】
0005549042.tif 000011
【図１１】
0005549042.tif 000012
【図１２】
0005549042.tif 000013
【図１３】
0005549042.tif 000014
【図１４】
0005549042.tif 000015
【図１５】
0005549042.tif 000016